(57)【要約】【課題】生体組織に対して行う処置に費やされる時間を、従来に比べて短縮し得る撮像システムを提供する。【解決手段】本発明の撮像システムは、少なくとも可視領域から赤外領域までの波長帯域を含む光を、脂肪及び該脂肪に覆われた所定の生体組織に対し、照明光として発する光源手段と、前記脂肪における前記照明光の光透過率を増加させるための熱を発する熱源手段と、前記熱源手段において発せられる前記熱を前記脂肪に対して送るための熱伝送手段と、前記脂肪が前記熱により加熱された状態において、前記照明光により照明された前記所定の生体組織の反射光または透過光の像を撮像する撮像手段と、前記反射光または前記透過光が有する波長帯域のうち、所定の帯域の赤外光を透過させる分光手段とを有する。【選択図】図１
2007117193.tif 000002
【特許請求の範囲】
【請求項１】
少なくとも可視領域から赤外領域までの波長帯域を含む光を、脂肪及び該脂肪に覆われた所定の生体組織に対し、照明光として発する光源手段と、
前記脂肪における前記照明光の光透過率を増加させるための熱を発する熱源手段と、
前記熱源手段において発せられる前記熱を前記脂肪に対して送るための熱伝送手段と、
前記脂肪が前記熱により加熱された状態において、前記照明光により照明された前記所定の生体組織の反射光または透過光の像を撮像する撮像手段と、
前記反射光または前記透過光が有する波長帯域のうち、所定の帯域の赤外光を透過させる分光手段と、
を有することを特徴とする撮像システム。
【請求項２】
脂肪及び該脂肪に覆われた所定の生体組織に対し、少なくとも可視領域から赤外領域までの波長帯域を含む光を照明光として発するとともに、該脂肪における前記照明光の光透過率を増加させるための熱を発する光源手段と、
前記光源手段において発せられる前記熱を前記脂肪に対して送るための熱伝送手段と、
前記脂肪が前記熱により加熱された状態において、前記照明光により照明された前記所定の生体組織の反射光の像を撮像する撮像手段と、
前記反射光が有する波長帯域のうち、所定の帯域の赤外光を透過させる分光手段と、
を有することを特徴とする撮像システム。
【請求項３】
前記所定の生体組織は、血管であることを特徴とする請求項１または請求項２に記載の撮像システム。  
【発明の詳細な説明】
【技術分野】
【０００１】
本発明は、撮像システムに関し、特に、脂肪に覆われた血管における血管走行の状態を得ることのできる撮像システムに関するものである。
【背景技術】
【０００２】
近年、血管及び血液等の光吸収特性に応じた波長帯域を有する赤外光を生体組織に対して照射することにより、該生体組織内部に関する情報として、例えば、血液中のヘモグロビン数、血管走行の状態等を得ることのできる機器が提案されている。
【０００３】
そして、前述したような生体組織内部に関する情報を得ることのできる機器として、例えば、特許文献１に提案されている撮像システムが提案されている。
【０００４】
特許文献１に提案されている撮像システムは、光源装置から出射された赤外光を内視鏡の先端部から出射することにより生体組織等を照明し、照明された該生体組織等の像を内視鏡の先端部に設けられたＣＣＤ（電荷結合素子）を用いて撮像するという構成を有することにより、生体組織内部に関する情報として、血管走行の状態を得ることを可能としている。
【０００５】
【特許文献１】特開２００４−３５８０５１号公報
【発明の開示】
【発明が解決しようとする課題】
【０００６】
しかし、特許文献１に提案されている撮像システムを用いた場合、生体組織等に対して照射した赤外光が、例えば、該生体組織内部に存在する脂肪において散乱してしまうことにより、該生体組織の深部に存在する血管走行の状態を得ることが困難となることから、結果的に、該生体組織に対して行う処置に費やされる時間が長時間化してしまうという課題が生じている。
【０００７】
本発明は、前述した点に鑑みてなされたものであり、生体組織に対して行う処置に費やされる時間を、従来に比べて短縮し得る撮像システムを提供することを目的としている。
【課題を解決するための手段】
【０００８】
本発明における第１の撮像システムは、少なくとも可視領域から赤外領域までの波長帯域を含む光を、脂肪及び該脂肪に覆われた所定の生体組織に対し、照明光として発する光源手段と、前記脂肪における前記照明光の光透過率を増加させるための熱を発する熱源手段と、前記熱源手段において発せられる前記熱を前記脂肪に対して送るための熱伝送手段と、前記脂肪が前記熱により加熱された状態において、前記照明光により照明された前記所定の生体組織の反射光または透過光の像を撮像する撮像手段と、前記反射光または前記透過光が有する波長帯域のうち、所定の帯域の赤外光を透過させる分光手段とを有することを特徴とする。
【０００９】
本発明における第２の撮像システムは、脂肪及び該脂肪に覆われた所定の生体組織に対し、少なくとも可視領域から赤外領域までの波長帯域を含む光を照明光として発するとともに、該脂肪における前記照明光の光透過率を増加させるための熱を発する光源手段と、前記光源手段において発せられる前記熱を前記脂肪に対して送るための熱伝送手段と、前記脂肪が前記熱により加熱された状態において、前記照明光により照明された前記所定の生体組織の反射光の像を撮像する撮像手段と、前記反射光が有する波長帯域のうち、所定の帯域の赤外光を透過させる分光手段とを有することを特徴とする。
【００１０】
本発明における第３の撮像システムは、前記第１または第２の撮像システムにおいて、  前記所定の生体組織は、血管であることを特徴とする。
【発明の効果】
【００１１】
本発明における撮像システムによると、生体組織に対して行う処置に費やされる時間が、従来に比べて短縮され得る。
【発明を実施するための最良の形態】
【００１２】
以下、図面を参照して本発明の実施の形態を説明する。
【００１３】
（第１の実施形態）
図１から図５は、本発明の第１の実施形態に係るものである。図１は、第１の実施形態に係る撮像システムの全体構成の一例を示す図である。図２は、加熱する前及び所定の条件下において加熱した後の脂肪の光透過率を示す図である。図３は、血管を覆う肉厚な脂肪を加熱する前に、図１の撮像システムを用いて該血管を撮像した場合に得られる、該血管の像を模式的に示す図である。図４は、図３に示す部位を加熱した後に、図１の撮像システムを用いて該血管を撮像した場合に得られる、該血管の像を模式的に示す図である。図５は、第１の実施形態に係る撮像システムの全体構成の、図１とは異なる例を示す図である。
【００１４】
図１に示すように、本発明の第１の実施形態の撮像システム１は、生体１０１内の観察対象部位２０１の像を撮像し、撮像信号として出力する撮像装置４と、撮像装置４が撮像する観察対象部位２０１を照明するための照明光として、少なくとも赤外領域を含む光を照明光として出射する光源装置５と、撮像装置４が撮像する観察対象部位２０１を加熱するための熱源装置６と、撮像装置４から出力された撮像信号に対して信号処理を行い、映像信号として出力する制御装置７と、制御装置７から出力される映像信号に基づき、観察対象部位２０１の像を画像表示するモニタ８とを有して要部が構成されている。
【００１５】
また、撮像装置４は、生体１０１に挿入され、観察対象部位２０１の像を結像及び伝送する光学式内視鏡２と、光学式内視鏡２に着脱可能であり、光学式内視鏡２により伝送された観察対象部位２０１の像を撮像するカメラヘッド３とを有して構成されている。
【００１６】
さらに、光学式内視鏡２は、生体１０１に挿入される挿入部２Ａと、把持部２Ｂと、カメラヘッド３に着脱可能である接眼部２Ｃと、把持部２Ｂの側部から延出するように設けられたライトガイドケーブル２Ｄと、ライトガイドケーブル２Ｄの端部に設けられ、光源装置５に対して着脱可能であるコネクタ２Ｅとを有して構成されている。
【００１７】
ライトガイド２１は、挿入部２Ａ、把持部２Ｂ、ライトガイドケーブル２Ｄ及びコネクタ２Ｅの各部を挿通するように設けられている。また、ライトガイド２１は、光入射端が光源装置５に配置されるとともに、光出射端が挿入部２Ａの先端部に配置されている。
【００１８】
ライトガイド２１が前述したような構成を有することにより、光源装置５から出射される照明光は、挿入部２Ａの先端部まで伝送される。これにより、観察対象部位２０１は、赤外領域を含む光により照明される。
【００１９】
対物光学系２２は、挿入部２Ａの先端部に設けられ、ライトガイド２１から出射された照明光により照明された観察対象部位２０１の像を結像する。
【００２０】
リレー光学系２３は、挿入部２Ａ、把持部２Ｂ及び接眼部２Ｃの各部を挿通するように設けられている。また、リレー光学系２３は、対物光学系２２の結像位置に入射端が配置されるとともに、接眼部２Ｃに設けられた接眼光学系２４に出射端が配置されている。
【００２１】
リレー光学系２３が前述したような構成を有することにより、対物光学系２２により結像された観察対象部位２０１の像は、接眼光学系２４に対して伝送される。これにより、光学式内視鏡２にカメラヘッド３が装着されていない場合、ユーザは、接眼光学系２４を覗き見ることにより、観察対象部位２０１を拡大観察することができる。また、光学式内視鏡２にカメラヘッド３が装着されている場合、対物光学系２２により結像された観察対象部位２０１の像は、カメラヘッド３に設けられた撮像光学系３１に対して出射される。
【００２２】
撮像光学系３１は、観察対象部位２０１の像を結像するとともに、該観察対象部位２０１の像をフィルタ３２に対して出射する。
【００２３】
分光手段としてのフィルタ３２は、血管走行の状態を得るための波長帯域として、例えば、１２００ｎｍから２５００ｎｍまでの所定の波長帯域を透過させるような構成を有しており、撮像光学系３１により結像される観察対象部位２０１の像を分光して撮像素子３３に対して出射する。
【００２４】
撮像手段としての撮像素子３３は、少なくとも１２００ｎｍの波長を超える赤外領域において感度を有する、例えばＥｘ．ＩｎＧａＡｓ、ＩｎＡｓまたはＩｎＳｂ等の半導体検出素子（光起電力型半導体検出素子）を用いて形成された撮像素子である。また、撮像素子３３は、撮像光学系３１の結像位置に配置されており、撮像光学系３１により結像された観察対象部位２０１の像を撮像する。そして、撮像素子３３は、制御装置７に着脱可能な構成を有するカメラケーブル３４を介して制御装置７から出力される撮像素子駆動信号に基づいて駆動するとともに、カメラケーブル３４を介して前記観察対象部位２０１の像を撮像信号として制御装置７に対して出力する。
【００２５】
光源装置５は、ランプ点灯制御回路５１と、ランプ５２と、集光光学系５３とを有して構成されている。
【００２６】
ランプ点灯制御回路５１は、制御装置７の制御に基づき、例えば、ランプ５２に対して供給する電流の量を増減させることにより、ランプ５２の光量及び点灯状態を制御する。
【００２７】
光源手段としてのランプ５２は、ランプ点灯制御回路５１の制御に基づき、少なくとも可視領域から赤外領域までの波長帯域を含む光を照明光として発する、例えば、ハロゲンランプ、タングステンランプ等により構成されている。なお、本実施形態において、前記照明光に含まれる前記赤外領域は、例えば、１２００ｎｍから２５００ｎｍまでのうちの少なくとも一部の帯域であるとする。
【００２８】
集光光学系５３は、ランプ５２により発せられる照明光を集光するとともに、集光した該照明光をライトガイド２１の光入射端に対して出射する。
【００２９】
熱源装置６は、モータ６１と、モータ６１の回転駆動に伴って回転することにより送気を行うファン６２と、ファン６２の送気方向に配置されたヒーターユニット６３とを有して構成されている。
【００３０】
モータ６１は、例えば、熱源装置６の操作を行うための操作手段としてのフットスイッチ６Ａがユーザに操作されることにより、回転駆動を開始または停止するような構成を有している。
【００３１】
熱源手段としてのヒーターユニット６３は、ファン６２の送気方向側に配置されており、ファン６２により送気された空気を加熱し、加熱した該空気を送気チューブ６４に対して供給する。なお、ヒーターユニット６３は、ユーザのフットスイッチ６Ａの操作に基づき、モータ６１の回転駆動に合わせて発熱するような構成を有していても良いし、また、ユーザのフットスイッチ６Ａの操作に関わらず、常時発熱するような構成を有しているものであっても良い。
【００３２】
送気チューブ６４は、ヒーターユニット６３により加熱された空気が外気により冷却されることのないように、例えば、アルミ箔及びガラスクロス等の、断熱性の高い素材により形成されている。また、送気チューブ６４は、熱源装置６に基端側が接続されるとともに、通風路６５が形成される程度の間隙を有して、先端側が光学式内視鏡２の挿入部２Ａの側面を覆うように構成されている。
【００３３】
そして、前述した構成を有するモータ６１、ファン６２及び送気チューブ６４により、撮像システム１における熱伝送手段が構成されている。
【００３４】
以上に述べた構成により、ファン６２により送気され、かつ、ヒーターユニット６３により加熱された空気は、送気チューブ６４内部の通風路６５を介し、観察対象部位２０１に対して供給される。
【００３５】
制御装置７は、カメラケーブル３４を介し、撮像素子３３を駆動させるための撮像素子駆動信号をカメラヘッド３に対して出力する撮像素子駆動回路７１と、信号処理回路７２とを有して構成されている。
【００３６】
信号処理回路７２は、カメラケーブル３４を介して撮像素子３３から出力される撮像信号に基づいて映像信号を生成するための信号処理を行い、該信号処理を行った後の映像信号をモニタ８に対して出力する。また、信号処理回路７２は、例えば、図示しない明るさ切り替えスイッチ等が操作されることにより、観察対象部位２０１に対して出射される照明光の光量を増減するような指示が行われた場合、ランプ５２に供給される電流の量を該指示に応じて増減させるような制御をランプ点灯制御回路５１に対して行う。
【００３７】
次に、本実施形態の撮像システム１の作用について説明を行う。
【００３８】
まず、ユーザは、生体１０１の所望の観察対象部位２０１において、血管走行の状態を得るために、図示しないトラカール等を介し、送気チューブ６４に覆われた状態の挿入部２Ａを生体１０１内部へ挿入する。そして、ユーザは、観察対象部位２０１に対する挿入部２Ａの先端部の位置が、例えば、図１に示すような位置関係となるように、すなわち、脂肪２０１Ａ及び脂肪２０１Ａに覆われた血管２０１Ｂがライトガイド２１を介して出射される照明光により照明され、かつ、送気チューブ６４内部の通風路６５を介して供給される空気が脂肪２０１Ａに当たる位置に挿入部２Ａを配置する。
【００３９】
ところで、脂肪２０１Ａが比較的肉厚に付着した部位である、例えば、胃の大網といった部位においては、赤外領域を含む光である照明光が血管２０１Ｂに到達し難いため、該照明光により観察対象部位２０１が照明されただけでは、図３に模式的に示すように、観察対象部位２０１における血管２０１Ｂの血管走行の状態を十分に得ることができない場合がある。
【００４０】
また、脂肪は、加熱されることにより一時的に光透過率が増加することが検討により明らかとなっている。例えば、脂肪から１０ｃｍ離れた位置に配置された消費電力１２００Ｗの熱源装置により、生体の体温と略同じ温度の環境に置かれた該脂肪を１０秒間加熱した場合、該脂肪の光透過率は、図２に示すように、特に赤外領域の波長帯域において、加熱前に比べて顕著に増加する。
【００４１】
フットスイッチ６Ａの操作が行われることによりモータ６１が回転駆動すると、ファン６２により送気され、かつ、ヒーターユニット６３により加熱された空気が、送気チューブ６４内部の通風路６５を介して観察対象部位２０１に供給される。これにより、観察対象部位２０１における脂肪２０１Ａが加熱され、脂肪２０１Ａの光透過率が増加する。そして、脂肪２０１Ａの光透過率が増加することにより、脂肪２０１Ａが比較的肉厚に付着した部位であっても、観察対象部位２０１における血管２０１Ｂの血管走行の状態を十分に得ることができるような、例えば、図４に示すような観察対象部位２０１及び血管２０１Ｂの像がモニタ８に画像表示される。
【００４２】
なお、撮像システム１は、前述した作用と略同様の作用を得るための構成として、例えば、前述した熱源装置６を熱源装置６ａに置き換えた、図５に示すような撮像システム１Ａとして構成されていても良い。
【００４３】
撮像システム１Ａの熱源装置６ａは、図５に示すように、モータ６１及びファン６２を内部に有する送気装置６６と、送気チューブ６４Ａ及び発熱線６８を内部に有する熱伝導チューブ６７とを有して構成されている。
【００４４】
送気チューブ６４Ａは、熱伝導チューブ６７内部に設けられた基端側が熱源装置６ａに接続されるとともに、通風路６５が形成される程度の間隙を有して、先端側が光学式内視鏡２の挿入部２Ａの側面を覆うように構成されている。
【００４５】
そして、前述した構成を有するモータ６１、ファン６２及び送気チューブ６４Ａにより、撮像システム１Ａにおける熱伝送手段が構成されている。
【００４６】
熱源手段としての発熱線６８は、電圧を印加することにより発熱するような、例えば、ニクロム線等により形成されており、熱伝導チューブ６７を略らせん状に取り巻くように配置されている。
【００４７】
また、発熱線６８は、ユーザのフットスイッチ６Ａの操作に基づき、送気装置６６に設けられた、図示しない電源から供給される電圧が印加されるような構成を有している。そのため、発熱線６８は、例えば、フットスイッチ６Ａがオンされた際には、印加された電圧に応じて発熱するとともに、フットスイッチ６Ａがオフされた際には、印加される電圧が０となることにより発熱状態が解除されるといった構成を有している。
【００４８】
以上に述べた構成により、ファン６２により送気された空気は、送気チューブ６４Ａの内部を通過する際に、電圧が印加された発熱線６８が発する熱により加熱された後、送気チューブ６４Ａ内部の通風路６５を介し、観察対象部位２０１に対して供給される。
【００４９】
そして、以上に述べたような構成の熱源装置６ａを有する撮像システム１Ａを用いた場合においても、撮像システム１を用いた場合と略同様に、脂肪２０１Ａが比較的肉厚に付着した観察対象部位２０１における血管２０１Ｂの血管走行の状態を十分に得ることができるような、例えば、図４に示すような観察対象部位２０１及び血管２０１Ｂの像がモニタ８に画像表示される。
【００５０】
なお、本実施形態の撮像システム１または撮像システム１Ａは、前述した作用と略同様の作用を得るための構成として、観察対象部位２０１における血管２０１Ｂの像を反射光により撮像するための、前述したような構成を有するものに限らず、例えば、観察対象部位２０１における血管２０１Ｂの像を透過光により撮像するための構成を有するものであっても良い。
【００５１】
以上に述べたように、本実施形態の撮像システム１または撮像システム１Ａを用いた場合、ユーザは、所望の観察対象部位に肉厚な脂肪が存在していたとしても、該脂肪に熱を加えて光透過率を増加させることにより、該脂肪に覆われた血管における血管走行の状態を十分に得ることができる。その結果、本実施形態の撮像システム１または撮像システム１Ａは、ユーザが生体組織に対して行う処置に費やされる時間を、従来に比べて短縮することができる。
【００５２】
（第２の実施形態）
図６は、本発明の第２の実施形態に係るものである。図６は、第２の実施形態に係る撮像システムの全体構成を示す図である。
【００５３】
なお、第１の実施形態と同様の構成を持つ部分については、詳細説明は省略する。また、第１の実施形態と同様の構成要素については、同一の符号を用いて説明は省略する。
【００５４】
図６に示すように、本発明の第２の実施形態の撮像システム１Ｂは、撮像装置４と、撮像装置４が撮像する観察対象部位２０１を照明するための照明光として、少なくとも赤外領域を含む光を照明光として出射する光源装置５ａと、制御装置７と、モニタ８とを有して要部が構成されている。
【００５５】
光源装置５ａは、ランプ点灯制御回路５１と、ランプ５２と、集光光学系５３と、切替スイッチ５４と、送気ユニット５５Ａと、排気ユニット５５Ｂとを内部に有して構成されている。
【００５６】
切替スイッチ５４は、光源装置５ａの操作を行うための操作手段としてのフットスイッチ５Ａがユーザに操作されることにより、送気ユニット５５Ａ及び排気ユニット５５Ｂのうち、いずれか一方のユニットをオンするとともに、他方のユニットをオフとするような構成を有している。
【００５７】
送気ユニット５５Ａは、フットスイッチ５Ａの操作によりオンされた際に、図示しない電源から駆動電力が供給されるとともに、光源装置５ａ内部の空気を送気チューブ６４Ｂに対して送気する。
【００５８】
送気チューブ６４Ｂは、送気ユニット５５Ａにより送気された空気が外気により冷却されることのないように、例えば、アルミ箔及びガラスクロス等の、断熱性の高い素材により形成されている。また、送気チューブ６４Ｂは、光源装置５ａに基端側が接続されるとともに、通風路６５が形成される程度の間隙を有して、先端側が光学式内視鏡２の挿入部２Ａの側面を覆うように構成されている。
【００５９】
そして、前述した構成を有する送気ユニット５５Ａ及び送気チューブ６４Ｂにより、撮像システム１Ｂにおける熱伝送手段が構成されている。
【００６０】
以上に述べた構成により、主にランプ５２が駆動する際に発せられた熱により加熱された、光源装置５ａ内部の空気は、送気ユニット５５Ａにより送気チューブ６４Ｂに対して送気された後、送気チューブ６４Ｂ内部の通風路６５を介し、観察対象部位２０１に対して供給される。
【００６１】
排気ユニット５５Ｂは、フットスイッチ５Ａの操作によりオンされた際に、図示しない電源から駆動電力が供給されるとともに、光源装置５ａ内部の空気を光源装置５ａ外部に対して排出する。
【００６２】
次に、本実施形態の撮像システム１Ｂの作用について説明を行う。
【００６３】
まず、ユーザは、生体１０１の所望の観察対象部位２０１において、血管走行の状態を得るために、図示しないトラカール等を介し、送気チューブ６４Ｂに覆われた状態の挿入部２Ａを生体１０１内部へ挿入する。なお、この状態において、光源装置５ａの切替スイッチ５４は、送気ユニット５５Ａをオフするとともに、排気ユニット５５Ｂをオンするような状態として予め設定されているものであるとする。
【００６４】
そして、ユーザは、観察対象部位２０１に対する挿入部２Ａの先端部の位置が、例えば、図６に示すような位置関係となるように、すなわち、脂肪２０１Ａ及び脂肪２０１Ａに覆われた血管２０１Ｂがライトガイド２１を介して出射される照明光により照明され、かつ、送気チューブ６４Ｂ内部の通風路６５を介して供給される空気が脂肪２０１Ａに当たる位置に挿入部２Ａを配置する。
【００６５】
そして、脂肪２０１Ａが比較的肉厚に付着した部位の観察が行われる場合、観察対象部位２０１における血管２０１Ｂの血管走行の状態を十分に得ることができないような、例えば、第１の実施形態の図３に示したような観察対象部位２０１及び血管２０１Ｂの像がモニタ８に画像表示される。
【００６６】
第１の実施形態の図３に示したような観察対象部位２０１及び血管２０１Ｂの像がモニタ８に表示された場合、ユーザは、フットスイッチ５Ａを操作することにより、切替スイッチ５４を介して送気ユニット５５Ａをオンさせるとともに、排気ユニット５５Ｂをオフさせる。
【００６７】
フットスイッチ５Ａの操作が行われることにより送気ユニット５５Ａがオンされると、主にランプ５２が駆動する際に発せられた熱により加熱された、光源装置５ａ内部の空気が送気ユニット５５Ａにより送気チューブ６４Ｂに対して送気された後、送気チューブ６４Ｂ内部の通風路６５を介し、観察対象部位２０１に対して供給される。
【００６８】
これにより、観察対象部位２０１における脂肪２０１Ａが加熱され、脂肪２０１Ａの光透過率が増加する。そして、脂肪２０１Ａの光透過率が増加することにより、脂肪２０１Ａが比較的肉厚に付着した部位であっても、観察対象部位２０１における血管２０１Ｂの血管走行の状態を十分に得ることができるような、例えば、第１の実施形態の図４に示したような観察対象部位２０１及び血管２０１Ｂの像がモニタ８に画像表示される。
【００６９】
以上に述べたように、本実施形態の撮像システム１Ｂを用いた場合、ユーザは、所望の観察対象部位に肉厚な脂肪が存在していたとしても、該脂肪に熱を加えて光透過率を増加させることにより、該脂肪に覆われた血管における血管走行の状態を十分に得ることができる。その結果、本実施形態の撮像システム１Ｂは、ユーザが生体組織に対して行う処置に費やされる時間を、従来に比べて短縮することができる。
【００７０】
また、本実施形態の撮像システム１Ｂは、光源装置内部において発生した熱を用いて観察対象部位の脂肪を加熱するような構成を有している。そのため、本実施形態の撮像システム１Ｂは、熱源装置を別途用いることなく前述した効果を得ることができ、その結果、第１の実施形態の撮像システム１または撮像システム１Ａに比べ、より簡易にシステムの構成が可能となる。
【００７１】
なお、本発明は、上述した実施形態に限定されるものではなく、発明の趣旨を逸脱しない範囲内において種々の変更や応用が可能であることは勿論である。
【図面の簡単な説明】
【００７２】
【図１】第１の実施形態に係る撮像システムの全体構成の一例を示す図。
【図２】加熱する前及び所定の条件下において加熱した後の脂肪の光透過率を示す図。
【図３】血管を覆う肉厚な脂肪を加熱する前に、図１の撮像システムを用いて該血管を撮像した場合に得られる、該血管の像を模式的に示す図。
【図４】図３に示す部位を加熱した後に、図１の撮像システムを用いて該血管を撮像した場合に得られる、該血管の像を模式的に示す図。
【図５】第１の実施形態に係る撮像システムの全体構成の、図１とは異なる例を示す図。
【図６】第２の実施形態に係る撮像システムの全体構成の一例を示す図。
【符号の説明】
【００７３】
１，１Ａ，１Ｂ・・・撮像システム、２・・・光学式内視鏡、２Ａ・・・挿入部、２Ｂ・・・把持部、２Ｃ・・・接眼部、２Ｄ・・・ライトガイドケーブル、２Ｅ・・・コネクタ、３・・・カメラヘッド、４・・・撮像装置、５，５ａ・・・光源装置、５Ａ，６Ａ・・・フットスイッチ、６，６ａ・・・熱源装置、７・・・制御装置、８・・・モニタ、２１・・・ライトガイド、２２・・・対物光学系、２３・・・リレー光学系、２４・・・接眼光学系、３１・・・撮像光学系、３２・・・フィルタ、３３・・・撮像素子、３４・・・カメラケーブル、５１・・・ランプ点灯制御回路、５２・・・ランプ、５３・・・集光光学系、５４・・・切替スイッチ、５５Ａ・・・送気ユニット、５５Ｂ・・・排気ユニット、６１・・・モータ、６２・・・ファン、６３・・・ヒーターユニット、６４，６４Ａ，６４Ｂ・・・送気チューブ、６５・・・通風路、６６・・・送気装置、６７・・・熱伝導チューブ、６８・・・発熱線、７１・・・撮像素子駆動回路、７２・・・信号処理回路、１０１・・・生体、２０１・・・観察対象部位、２０１Ａ・・・脂肪、２０１Ｂ・・・血管
【図１】
2007117193.tif 000003
【図２】
2007117193.tif 000004
【図３】
2007117193.tif 000005
【図４】
2007117193.tif 000006
【図５】
2007117193.tif 000007
【図６】
2007117193.tif 000008